(57)【要約】【課題】ダブル針ミシンの針板の提供。【解決手段】一種のダブル針ミシンの針板設計であり、それは主に本体、ロッキングプレート、セパレータ、及びバックパレットによって構成される。セパレータをバックパレットの片側に密着させ、グリップでロッキングプレートに固定させ、ロッキングプレートとバックパレットをセパレータの内側の端に相隣するようにさせ、それぞれが縦方向にピンホールを成型し、それぞれのピンホールを並列させ、そして、ロッキングプレートと本体を組み合わせ、ダブル針ミシン専用の針板を構成させる。これにより、針板上の両ピンホールのドロップによって形成される軌跡には一致性があって並列するようになり、更に両ピンホールの縫い糸は効果的に隔てられて互いに干渉にならない。【選択図】図１
0003125692.tif 000002
【実用新案登録請求の範囲】
【請求項１】
本体、ロッキングプレート、セパレータ及びバックパレット等の部品により構成され、その中、本体の頂上には凹みを成型し、凹みの底部の両端にそれぞれのネジ穴が設けられ、本体の両端が下方に延長してロッキング台を構成し、凹みの底は下の方へ延長してサポートプレートを設け、サポートプレートの中央部にはスロットが成型され、
ロッキングプレートはプレートの両端にそれぞれに穴付きネジ穴が設けられ、プレートの片側に噛み合いスロットがあり、噛み合いスロットの内壁の両端にそれぞれの横方向のロッキング穴があり、噛み合いスロットの内壁の中央部には縦方向にピンホールが開けられ、
セパレータの両側に通し穴が設けられ、両通し穴間のピッチはロッキング穴に対応し、  バックパレット上部の両側にそれぞれのロッキング穴が開けられており、パレットの片側はフラット状で支持するサポート面を形成し、サポート面の中央に縦方向にスロットが設けられ、スロットの頂上にピンホールが開けられ、
以上の構成部品により、セパレータをバックパレットのサポート面に密着させ、バックパレットをセパレータと同時にロッキングプレートの噛み合いスロットに嵌め合わせ、ロッキング穴、通し穴、そしてロッキング穴が対応しながら穴が通り抜けるように順序に取り付け、セパレータをバックパレットとロッキングプレートで挟んで固定させ、そして、当ロッキングプレートを本体の凹みの中に噛み込ませ、これで、ダブル針ミシン専用の針板の組立が完了することを特徴とするダブル針ミシンの針板。
【請求項２】
当該ロッキングプレートの外見は凹みと対応していることを特徴とすることを特徴とする請求項１記載のダブル針ミシンの針板。
【請求項３】
ロッキングプレートの両側の穴付きネジ穴を本体の凹みの中の両ネジ穴とは対応状態にさせることを特徴とする請求項１記載のダブル針ミシンの針板。
【請求項４】
当該セパレータは薄型のスチールを使ってプレス成型したシート状のものであることを特徴とする請求項１記載のダブル針ミシンの針板。
【請求項５】
当該バックパレットのパレットはロッキングプレートにあるスロットに合わせられるものであることを特徴とする請求項１記載のダブル針ミシンの針板。
【考案の詳細な説明】
【技術分野】
【０００１】
本考案は、ダブル針ミシンの針板構造に関する設計であり、特に、ダブル針ミシンがより小さい縫い目ピッチのミシン針で裁縫作業を行う際に、縫い糸によって形成された巻き線は絡み合ったり、断線したりするようにならない針板の構造設計を指す。
【背景技術】
【０００２】
シャトルを装着して同期に稼動することで、二本の上縫い糸及び二本の下縫い糸を二行の平行な軌跡になるように織りあい、ミシン裁縫作業を速やかに完成させるか、または、特殊な形の軌跡を作り出す。両平行線の縫い糸の軌跡規格は、二本のミシン針間のピッチ（大体１．６〜１６ｍｍの範囲内）によって数種類の規格が定められている。仕上がりのダブルライン式の軌跡Ａはまた、二本のミシン針の相対ドロップの位置によって並列になるか、位置ずれになる（図７及び図８の表示のように）。縫い線の軌跡の形が相互に並列し、且つ最小になるように要求される時に、一般のダブル針ミシンを使用する場合は、対応の規格のサイズの針板１０（図９に示されている）を使用しなければならない。
【０００３】
但し、今の針板１０の製造は、多くは、砂鋳造の技術によって製造されている。針板１０の両ピンホール１０１が相互に並列して最小サイズになる必要がある場合、両ピンホール１０１の下にあるセパレータ１０２の厚みは、セパレータ１０２の両側のピンホール１０１の縫い線が効果的に離れたり、絡み合わなかったりするように、極めて薄く（図１０の表示のように）ならなくてはならない。セパレータ１０２の構造はこの要求に従って砂鋳造で製造される際には、技術面に困難がある。それは、極めて薄いセパレータ１０２は金型から取り出される時に、破損することがある。例えセパレータ１０２が金型から完全に取り出されるとしても、後の熱処理過程において熱で膨張したり、収縮したりすることで破損してしまう恐れもあるので、針板１０の製造の不良率は高まる。また、当破損したセパレータ１０２は、裁縫の作業中に、両側のピンホール１０１の縫い線が形成した巻線を破損した箇所で絡み合うようにさせてしまうので、断線や絡み付きの状況が起こる。以上により、効果的に不良の針板１０の影響を抑止するために、本案の考案人は積極的に改良方法を研究し、他の製造方法を以って以上に述べられた欠点を改良したゆえに、本考案に結びつきました。
【考案の開示】
【考案が解決しようとする課題】
【０００４】
本考案の主要な目的は、ダブル針ミシンの針板構造の設計、特にダブルのミシン針の縫い目ピッチがより小さい時の針板構造の設計を提供することである。この設計では、針板の底にあるセパレータは、製造時に組み合わせタイプのモデル構造で製造過程における歩留を上げ、しかも、並列する二つのピンホールのドロップ縫い線を干渉することはない。
【０００５】
以上の目的で、本考案はダブル針ミシンの針板構造の設計であり、それは主には、本体、ロッキングプレート、セパレータ、及びパレット等の装置によって構成される。セパレータをバックパレットの片側に密着させ、グリップでロッキングプレートに固定させる。そして、ロッキングプレート及びバックパレットをセパレートの内側の端に相隣するようにさせ、それぞれの縦方向の成型には一つのピンホールがあり、その両ピンホールを並列状態にさせる。そして、ロッキングプレート及び本体を組み合わせることによって小さい縫い線ピッチのダブル針ミシン専用の針板を組み立てる。
【課題を解決するための手段】
【０００６】
請求項１の考案は、本体、ロッキングプレート、セパレータ及びバックパレット等の部品により構成され、その中、本体の頂上には凹みを成型し、凹みの底部の両端にそれぞれのネジ穴が設けられ、本体の両端が下方に延長してロッキング台を構成し、凹みの底は下の方へ延長してサポートプレートを設け、サポートプレートの中央部にはスロットが成型され、
ロッキングプレートはプレートの両端にそれぞれに穴付きネジ穴が設けられ、プレートの片側に噛み合いスロットがあり、噛み合いスロットの内壁の両端にそれぞれの横方向のロッキング穴があり、噛み合いスロットの内壁の中央部には縦方向にピンホールが開けられ、
セパレータの両側に通し穴が設けられ、両通し穴間のピッチはロッキング穴に対応し、  バックパレット上部の両側にそれぞれのロッキング穴が開けられており、パレットの片側はフラット状で支持するサポート面を形成し、サポート面の中央に縦方向にスロットが設けられ、スロットの頂上にピンホールが開けられ、
以上の構成部品により、セパレータをバックパレットのサポート面に密着させ、バックパレットをセパレータと同時にロッキングプレートの噛み合いスロットに嵌め合わせ、ロッキング穴、通し穴、そしてロッキング穴が対応しながら穴が通り抜けるように順序に取り付け、セパレータをバックパレットとロッキングプレートで挟んで固定させ、そして、当ロッキングプレートを本体の凹みの中に噛み込ませ、これで、ダブル針ミシン専用の針板の組立が完了することを特徴とするダブル針ミシンの針板としている。
請求項２の考案は、当該ロッキングプレートの外見は凹みと対応していることを特徴とすることを特徴とする請求項１記載のダブル針ミシンの針板としている。
請求項３の考案は、ロッキングプレートの両側の穴付きネジ穴を本体の凹みの中の両ネジ穴とは対応状態にさせることを特徴とする請求項１記載のダブル針ミシンの針板としている。
請求項４の考案は、当該セパレータは薄型のスチールを使ってプレス成型したシート状のものであることを特徴とする請求項１記載のダブル針ミシンの針板としている。
請求項５の考案は、当該バックパレットのパレットはロッキングプレートにあるスロットに合わせられるものであることを特徴とする請求項１記載のダブル針ミシンの針板としている。
【考案の効果】
【０００７】
本考案はダブル針ミシンの針板構造、確実に針板上の両並列のピンホールを最小の縫い線ピッチのサイズに達することができ、しかも、セパレータを、巻線の絡み合うことを防止するように、期待の役割を働かせる。その功能は間違いなく改良されたし、方法の運用も今までにない新規のものなのである。
【考案を実施するための最良の形態】
【０００８】
図１から図３が示すように、本考案はダブル針ミシンの針板構造の設計であり、それ主には本体１、ロッキングプレート２、セパレータ３、及びバックパレット４等の装置によって構成される。
【０００９】
その中には：本体１、その外観は逆U形に似ており、本体１の頂上には凹み１１があり、凹み１１の底の両端にはそれぞれのネジ穴１１１がある。本体１の両端はそれぞれに下方に延長してロッキング台１２を形成し、本体１はその二つのロッキング台１２によってミシンの基板に組み付けることができる。また、凹み１１の底には下の方に延長した所にサポートプレート１３があり、そのサポートプレート１３の中央部にスロット１３１がある。
【００１０】
複ロッキングプレート２、これは外形が凹み１１と噛み合える板状の装置である。それの両端にはそれぞれの穴付きネジ穴２１が設けられ、当穴付きネジ穴２１は、凹み１１内の二つのネジ穴１１１とそれぞれに対応している。プレートの片側に噛み合いスロット２２が設けられ、その噛み合いスロット２２の内面の両端に横方向のロッキング穴２２１がある。噛み合いスロット２２の内壁の中央部にピンホール２３を縦方向に開け、ピンホール２３の片側の穴壁を噛み合いスロット２２の外側に露出させる。
【００１１】
セパレータ３、これは薄型のスチールプレートを使ってプレス成型したシート状のものである。シートの両側にそれぞれの通し穴３１を設け、両通し穴３１のピッチはロッキング穴２２１と対応している。
【００１２】
バックパレット４、これは凹み１１に合わせる板状のものである。当パレット上の両端にそれぞれのロッキング穴４１が設けられており、パレットの片側がフラット状でサポート面４２を形成している。そのサポート面４２の中央には縦方向にスロット４２１が設けられ、当スロット４２１の頂上は、穴壁が露出しているピンホール４３と接続している。
【００１３】
以上に述べられた部品により、図３と図４が示すように、セパレータ３をバックパレット４のサポート面４２の上に密着させ、バックパレット４とセパレータ３を同時にロッキングプレート２の噛み合いスロット２２の中にかみ合わせる。そして、ロッキング穴２２１、通し穴３１とロッキング穴４１を対応しながら通り抜けるようにさせる。ネジ５を取り、順序に取り付け、セパレータ３をバックパレット４とロッキングプレート２ではさんで固定させる。そして、合体したロッキングプレート２を本体１のスロット１３１内に組む。ネジ６を取り、穴付きネジ穴２１を通してネジ穴１１１に締め付ける。ロッキングプレート２をネジ６によって本体１に固定させ（第六図が示すように）、これで、ダブル針ミシン専用の針板の組立ができる。
【００１４】
前に述べられたロッキングプレート２がパレット４と合わせてセパレータ３を挟んで固定した後もまた、セパレータ３によって両ピンホール２３、４３を隔てさせなければならない（図５の表示を参照して下さい）。セパレータ３は薄型スチールを使ってプレス成型されたものなので、その厚みと強度は適当にコントロールされることができる。それで、セパレータ３の両側にあるピンホール２３、４３は極めて小さい縫い目ピッチを維持することができる。
【００１５】
他に、セパレータ３の底のシートはサポートプレート１３及びサポート面４２によって挟まれて固定しているので、ミシンが裁縫作業中に振動でズレが生じることはない。両ピンホール２３、４３のミシン針が縫い線を引いてシャトルの底の線と織りあう時には、十分に、それらの線を分けて巻線が絡み合うことを抑止することができる。
【００１６】
更に、サポートプレート１３の中央部で成型したスロット１３１と、サポート面４２の中央にあるスロット４２１の役割は、極めて小さい縫い線ピッチの両ピンホール２３、４３がドロップした両ミシン針が、サポートプレート１３、あるいは、サポート面４２と摩擦することを防止することにある。スロット１３１とスロット４２１の設置により、セパレータ３の両側の縫い線が巻線ができ、シャトルの底の線と織り合うように、適当なスペースが効果的に作られる。
【００１７】
すなわち、この「ダブル針ミシンの針板構造」の設計は、確実に針板上の両並列のピンホールを最小の縫い線ピッチのサイズに達することができ、しかも、セパレータを、巻線の絡み合うを防止するように、期待の役割を働かせる。その功能は間違いなく改良されたし、方法の運用も今までにない新規のものなのである。
【図面の簡単な説明】
【００１８】
【図１】本考案の外観の立体表示図である。
【図２】本考案の分解立体表示図である。
【図３】本考案の一部の組立立体表示図である。
【図４】ロッキングプレートがバックパレットに合わせてセパレータを挟んで固定した断面表示図である。
【図５】ロッキングプレートとバックパレットのダブルピンホールがセパレータによって隔てられた組み合わせの断面表示図である。
【図６】本考案の組立断面の表示図である。
【図７】ダブル針ミシンで仕上げたズレの軌跡の表示図である。
【図８】ダブル針ミシンで仕上げた並列軌跡の表示図である。
【図９】周知のダブル針ミシンの針板の立体表示図である。
【図１０】周知のダブル針ミシンの針板の底面図である。
【符号の説明】
【００１９】
１０  針板
２３、１０１  ピンホール
１０２  セパレータ
Ａ  軌跡
１  本体
１１  凹み
１１１  ネジ穴
１２  ロッキング台
１３  サポートプレート
１３１  スロット
２  ロッキングプレート
２１  穴付きネジ穴
２２  噛み合いスロット
４１、２２１  ロッキング穴
３  セパレータ
３１  通し穴  
４  バックパレット
４２  サポート面
４２１  スロット
４３  ピンホール
５、６  ネジ
【図１】
0003125692.tif 000003
【図２】
0003125692.tif 000004
【図３】
0003125692.tif 000005
【図４】
0003125692.tif 000006
【図５】
0003125692.tif 000007
【図６】
0003125692.tif 000008
【図７】
0003125692.tif 000009
【図８】
0003125692.tif 000010
【図９】
0003125692.tif 000011
【図１０】
0003125692.tif 000012